(57)【特許請求の範囲】
【請求項１】
液透過性の表面シート、液不透過性の裏面シート及び前記表面シートと前記裏面シートとの間に設けられる吸収体を有する吸収性物品であって、
前記吸収体において、前記吸収性物品の幅方向の中心を含む中央領域に設けられる厚さ方向に突出された中高部と、
平面視において前記中高部の少なくとも一部に重なり、前記吸収体より非肌当接面側に設けられる、多数の粒状体を含む粒状層と、を有し、
前記粒状体は、前記吸収体の非肌当接面側に配置され、前記吸収体の肌当接面側に配置されていない、吸収性物品。
【請求項２】
前記粒状層は、平面視において前記中高部の外縁を跨がるように設けられる請求項１に記載の吸収性物品。
【請求項３】
前記粒状層は、分離壁により分けられた複数の粒状区分から構成される請求項１又は２に記載の吸収性物品。
【請求項４】
前記粒状区分は、平面視において前記中高部の外縁を跨ぐように設けられる請求項３に記載の吸収性物品。
【請求項５】
前記裏面シートの非肌当接面において接着剤が塗布された接着領域を有し、
前記接着領域は、平面視において前記分離壁を跨ぐように設けられる請求項３又は４に記載の吸収性物品。
【請求項６】
前記吸収体は、トウからなる繊維集合体を含む請求項１乃至５のいずれか一項に記載の吸収性物品。
【請求項７】
前記粒状体は、樹脂発泡ビーズ粒である請求項１乃至６のいずれか一項に記載の吸収性物品。
【請求項８】
前記粒状層は、前記吸収体と前記裏面シートとの間に設けられ、吸水性を有する繊維を含み、
前記繊維と前記粒状体とは互いに接合されていない請求項１乃至７のいずれか一項に記載の吸収性物品。
【請求項９】
前記粒状層の厚さ方向の反発力は、前記中高部の反発力より大きい請求項１乃至８のいずれか一項に記載の吸収性物品。
【請求項１０】
前記吸収体には、前記幅方向又は長手方向に沿った複数のスリットが形成されている請求項１乃至９のいずれか一項に記載の吸収性物品。
【請求項１１】
液透過性の表面シート、液不透過性の裏面シート及び前記表面シートと前記裏面シートとの間に設けられる吸収体を有する吸収性物品であって、
前記吸収体において、前記吸収性物品の幅方向の中心を含む中央領域に設けられる厚さ方向に突出された中高部と、
平面視において前記中高部の少なくとも一部に重なり、前記吸収体より非肌当接面側に設けられる、多数の粒状体を含む粒状層と、を有し、
前記粒状体は、前記吸収体の非肌当接面側に配置され、前記吸収体の肌当接面側に配置されてなく、
前記粒状層は、当該粒状層に対する圧力に応じて、前記粒状体が移動し、着用者の体の形状に追従するように前記吸収体の形状を変形させる吸収性物品。
【発明の詳細な説明】
【技術分野】
【０００１】
本発明は、生理用ナプキン等の吸収性物品に関する。
【背景技術】
【０００２】
一般に、着用者の肌に当接する液透過性の表面シートと液不透過性の裏面シートとの間に吸収体が設けられている吸収性物品が知られている。吸収性物品のうち特に生理用ナプキンは下着により着用者の体の方に押し当てられ、着用者の体にフィットされるようにして使用される。
【０００３】
しかしながら、生理用ナプキンの使用時において、例えば下着のサイズや下着の弾性部材の状態、着用者の体勢（例えば起立時や着席時、就寝時の姿勢）によって、生理用ナプキンが着用者の体型にフィットしない場合がある。そして、例えば、着用者にとって下着のサイズが大きすぎる場合等では、排泄口と生理用ナプキンとの間に隙間が空いてしまい、体液が漏れやすくなってしまったり、着用者は体液が漏れてしまうことの不安感を感じてしまったりする。一方、例えば、着用者にとって下着のサイズが小さすぎる場合等では、生理用ナプキンと体とが密着しすぎてしまい、心地よい装着感が損なわれ、着用者は吸収性物品の着用時に違和感を覚えてしまう。
【０００４】
ここで、特許文献１には、着用者の体に対する圧力を分散させる吸収性物品が開示されている。具体的には、特許文献１に記載の吸収性物品は、吸収性ポリマーを含む２層の吸収体コアを有し、２層の吸収体コアの間にビーズ粒等からなる移動補助材が設けられている。特許文献１に記載の吸収性物品の吸収性ポリマーにおいて体液等が吸収されると、２層の吸収体コア同士が向かい合う面に、粘性及び弾性を有するポリマー層が形成される。そして、形成されたポリマー層及びビーズ粒等からなる移動補助材により、２層の吸収体コア同士はそれぞれが向かい合う面に沿ってズレやすくなり、着用者の体に対する圧力を分散させることができる。
【先行技術文献】
【特許文献】
【０００５】
【特許文献１】特開２００８−１８３１５９号公報
【発明の概要】
【発明が解決しようとする課題】
【０００６】
しかしながら、特許文献１に記載の吸収性物品では２層の吸収体コア同士が向かい合う面に沿ってしか吸収体コアが移動しない。したがって、特許文献１に記載の吸収性物品では吸収性物品から着用者の体方向へのフィット性を高めることができない。
【０００７】
そこで、本発明は、上述の課題に鑑みてなされたものであり、吸収性物品の形状を着用者の体の形状に追従させ、吸収性物品の装着感を向上させることを目的とする。
【課題を解決するための手段】
【０００８】
本発明の実施形態における吸収性物品１は、液透過性の表面シート１０、液不透過性の裏面シート２０及び前記表面シートと前記裏面シートとの間に設けられる吸収体３０を有する吸収性物品であって、前記吸収体において、前記吸収性物品の幅方向Ｗの中心ＷＣを含む中央領域ＣＲに設けられる厚さ方向Ｔに突出された中高部３１と、平面視において前記中高部の少なくとも一部に重なり、前記吸収体より非肌当接面側に設けられる、多数の粒状体を含む粒状層６０とを有する。
【発明の効果】
【０００９】
本実施形態における吸収性物品によれば、吸収性物品の形状を着用者の体の形状に追従させ、吸収性物品の装着感を向上できる。
【図面の簡単な説明】
【００１０】
【図１】本発明の実施形態における吸収性物品の肌当接面側から見た平面図である。
【図２】本発明の実施形態における吸収性物品の非肌当接面側から見た平面図である。
【図３】図１に示すＡ−Ａ断面の模式断面図である。
【図４】吸収性物品が着用された状態における図１に示すＡ−Ａ断面の模式断面図である。
【図５】平面視における粒状層内の粒状体の移動の様子を模式的に示す図である。
【図６】厚さ方向に平行な断面図における粒状層内の粒状体の移動の様子を模式的に示す図である。
【図７】粒状層の構成を説明するための模式断面図である。
【図８】本発明の実施形態の変形例における吸収性物品の肌当接面側から見た平面図である。
【発明を実施するための形態】
【００１１】
（１）吸収性物品の全体構成
図１〜図４を参照して、本実施形態における吸収性物品１の全体構成について説明する。なお、以下の図面の記載において、同一又は類似の部分には、同一又は類似の符号を付している。ただし、図面は模式的なものであり、各寸法の比率等は現実のものとは異なることに留意すべきである。したがって、具体的な寸法等は、以下の説明を参酌して判断すべきである。また、図面相互間においても互いの寸法の関係や比率が異なる部分が含まれ得る。
【００１２】
図１は、吸収性物品の肌当接面側から見た平面図である。図２は、吸収性物品の非肌当接面側から見た平面図である。図３は、図１に示すＡ−Ａ断面の模式断面図である。図４は、吸収性物品の着用時における図１に示すＡ−Ａ断面の模式断面図である。本実施形態における吸収性物品１は、夜用の生理用ナプキンである。
【００１３】
吸収性物品１は、表面シート１０と、裏面シート２０と、表面シート１０と裏面シート２０との間に設けられる吸収体３０と、吸収体３０より非肌当接面側に設けられる粒状層６０とを有する。吸収体３０には、吸収性物品１の幅方向Ｗの中心ＷＣを含む中央領域ＣＲに設けられる厚さ方向Ｔに突出された中高部３１が設けられる。粒状層６０は、平面視において中高部３１の少なくとも一部に重なるように設けられる。吸収性物品１の幅方向Ｗにおいて中央領域ＣＲに隣り合う側部領域ＳＲには、幅方向Ｗの外側に延出するウイング部４０及びヒップフラップ部５０が設けられる。側部領域ＳＲは、ウイング部４０の長手方向Ｌの前方側の根元部分より幅方向Ｗの外側の領域である。中央領域ＣＲは、幅方向Ｗの中心ＷＣを含み、ウイング部４０の長手方向Ｌの前方側の根元部分より幅方向Ｗの内側の領域である。ここで、吸収性物品１の平面視とは、厚さ方向Ｔにおいて離れた位置から展開状態の吸収性物品１を視認したものである。また、吸収性物品１の展開状態とは、図１に示す状態であり、吸収性物品が折り畳まれてなく、ウイング部４０及びヒップフラップ部５０が厚さ方向Ｔにおいて中央領域ＣＲに重なっていない状態である。
【００１４】
表面シート１０は、体液等の液体を透過する液透過性のシートである。表面シート１０は、少なくとも吸収体３０の表面を覆う。表面シート１０は、不織布、織布、有孔プラスチックシート、メッシュシート等、液体を透過する構造のシート状の材料であれば、特に限定されない。織布や不織布の素材としては、天然繊維、化学繊維のいずれも使用できる。
【００１５】
裏面シート２０は、体液等の液体を透過しない液不透過性のシートである。裏面シート２０は、平面視において表面シート１０に重なるような大きさを有する。裏面シート２０は、ポリエチレンシート、ポリプロピレン等を主体としたラミネート不織布、通気性の樹脂フィルム、スパンボンド、又はスパンレース等の不織布に通気性の樹脂フィルムが接合されたシート等を用いることができる。
【００１６】
吸収体３０は、体液を吸収可能な吸収材料によって形成される。吸収材料は、例えば、親水性繊維、パルプ、ＳＡＰ、トウからなる繊維集合体等を含む。
【００１７】
本実施形態における吸収体３０は、複数層のトウからなる繊維集合体及びＳＡＰを含む。
【００１８】
本実施形態における吸収体３０は、例えば、トウからなる繊維集合体を、ティッシュに載せ、その上に、ＳＡＰを、例えば、約８０ｇ／ｍ２散布し、次いで、その上に、トウからなる繊維集合体及び高吸収性ポリマー（約８０ｇ／ｍ２）を積層し、次いで、その上に、トウからなる繊維集合体及び高吸収性ポリマー（約８０ｇ／ｍ２）を積層し、その上に、ティッシュを積層し、次いで、プレス機で圧縮、例えば、３５ｋｇ／ｃｍ２の圧力で５秒間圧縮することにより形成される。
【００１９】
本実施形態における吸収体３０の坪量は、積層数、具体的な用途等によって変化するが、例えば、約１０〜約１０００ｇ／ｍ２の坪量等を有することができる。
【００２０】
吸収体３０に設けられる中高部３１は、中央領域ＣＲに設けられ、中高部３１の外側の部分に比べ、厚さ方向Ｔに厚い部分である。中高部３１は、本実施形態において、吸収体３０が厚さ方向Ｔに圧縮された圧搾部３２により囲まれた部分である。すなわち、中高部３１の外縁は、圧搾部３２である。
【００２１】
ウイング部４０は、非肌当接面側に折り返し可能に構成されており、着用時に下着のクロッチ部の非肌当接面側に折り返される。
【００２２】
ヒップフラップ部５０は、ウイング部４０の長手方向Ｌの後方に位置する。ヒップフラップ部５０は、着用時に下着の非肌当接面側に折り返されずに下着の肌当接面側に配置されるように構成されている。
【００２３】
粒状層６０は、多数の粒状体と粒状体を包む包装体とを含む。粒状体は、例えば、例えばポリスチレン発泡ビーズやポリオレフィン発泡ビーズのような疎水性の樹脂発泡ビーズである。樹脂発泡ビーズは、粒径が１〜５ｍｍφ程度であり、嵩密度が０．０１〜０．１ｇ／ｃｍ３である。本実施形態における樹脂発泡ビーズは、一般にクッション又は枕や布団等の寝具に用いられるものが用いられてもよい。本実施形態の粒状層６０では、多数の樹脂発泡ビーズが包装体を構成する袋状の布地に充填されている。包装体に対して圧力が加わると、圧力に応じて包装体内を樹脂発泡ビーズが移動する。本実施形態における粒状層６０に対して圧力が加わるときの粒状体の動きは後述する。粒状層６０の厚さ方向Ｔの反発力は、中高部３１の反発力より大きくなるように構成される。ここで、反発力は、ＫＥＳ圧縮特性試験において測定され、圧縮試験機、例えば、カトーテック株式会社製のＫＥＳ（ハンディ圧縮試験機、型式：ＫＥＳ−Ｇ５）が用いられる。
【００２４】
粒状層６０は、平面視において中高部３１の少なくとも一部に重なるように設けられる。また、粒状層６０は、平面視において中高部３１の外縁（圧搾部３２）を跨がるように設けられてもよい。
【００２５】
粒状層６０は、平面視において分離壁６２により分けられた複数の粒状区分６１から構成される。分離壁６２は、粒状層６０を複数の粒状区分６１に分ける仕切りである。また、粒状区分６１は、平面視において中高部３１の外縁（圧搾部３２）を跨ぐように設けられてもよい。
【００２６】
粒状層６０は、例えば親水性繊維、パルプ又はＳＡＰ等の吸水性を有する繊維を含み、吸収性を有する繊維と粒状体（樹脂発泡ビーズ）とが互いに接合されていないように構成してもよい。
【００２７】
図２に示すように、裏面シート２０の非肌当接面には、吸収性物品１を下着に止めるための接着剤が塗布された接着領域７０が設けられている。接着領域７０は、中央領域ＣＲに配置された中央接着領域７１及び側部領域ＳＲのウイング部４０に配置された側部接着領域７２を有する。
【００２８】
中央接着領域７１は、平面視において隣接する各粒状区分６１を区切る分離壁６２を跨ぐように設けられる。
【００２９】
接着領域７０は、使用前の状態において、剥離シートによって覆われている。剥離シートは、使用前に接着剤が劣化するのを防止している。剥離シートは、着用時に着用者によって剥離される。なお、剥離シートを有しない吸収性物品においては、吸収性物品を個別に包装する包装シートによって使用前に接着領域が劣化するのを防止するように構成されていてもよい。
【００３０】
図３は、吸収性物品１の図１のＡ−Ａ断面を基準とした断面図である。図３に示すように、本実施形態の吸収性物品１では、粒状層６０は、厚さ方向Ｔにおいて、吸収体３０と裏面シート２０との間に設けられる。なお、粒状層６０は吸収体３０より非肌当接面側に設けられていればよく、例えば粒状層６０は裏面シート２０の非肌当接面側に設けられてもよい。
【００３１】
図４は、吸収性物品１が着用者に着用された状態（以下、着用状態という。）の図１のＡ−Ａ断面を基準とした断面図である。図４に示す着用状態では、吸収性物品１が着用者の両脚に挟まれている。図４に示すように、着用状態では、粒状層に対する圧力に応じて、粒状層６０（粒状区分６１）内で粒状体が自由に移動し、吸収体３０の形状を変化させる。
【００３２】
（２）粒状層の機能
図５は、平面視における粒状層６０内の粒状体の移動の様子を模式的に示す図である。図５（Ａ）は、粒状層６０に対して圧力が掛かっていない状態である。図５（Ｂ）は、粒状層６０に対して厚さ方向Ｔの圧力Ｆが掛かっている状態である。図５（Ｂ）に示すように、圧力Ｆが掛かっている圧力の高い部分から他の圧力の低い部分に対して粒状体が移動する。
【００３３】
図６は、厚さ方向Ｔに平行な断面図における粒状層６０内の粒状体の移動の様子を模式的に示す図である。図６（Ａ）は、吸収性物品１に対して、厚さ方向Ｔの圧力Ｆが掛かる前の状態（圧力が掛かっていない状態）である。図６（Ｂ）は、吸収性物品１に対して、厚さ方向Ｔの圧力Ｆが掛かっている状態である。図６（Ｂ）に示すように、圧力Ｆは、表面シート１０及び吸収体３０を介して、粒状層６０に対して掛けられる。粒状層６０が吸収性物品の厚さ方向Ｔの圧力Ｆを受けると、粒状体が粒状層６０内において圧力が高い方から低い方に移動する。圧力が低い方に移動した粒状体が、平面視において重なる吸収体３０を厚さ方向Ｔに押し上げる。このように、粒状層６０により、粒状層６０に対する圧力に応じて、粒状体が粒状層６０（包装体）内を移動し、着用者の体の形状に追従するように吸収体の形状を変形させることができる。したがって、吸収性物品１の着用状態では吸収性物品１に対する圧力に応じた凹凸形状が吸収体３０（表面シート１０）上で形成され、吸収性物品１が着用者の体の形状に沿うように変化する。
【００３４】
なお、着用状態における吸収性物品１に対する圧力は、厚さ方向Ｔに限らず、幅方向Ｗ及び長手方向Ｌにおいても加わる。厚さ方向Ｔの圧力が掛かる場合同様、幅方向Ｗ及び長手方向Ｌの圧力が掛かる場合においても、粒状層６０内の粒状体は圧力の高い部分から圧力の低い部分に移動する。
【００３５】
（３）粒状層の構成
図７は、粒状層６０の構成を説明するための模式断面図である。図７に示すように、粒状層６０には複数の粒状区分６１が設けられ、粒状区分６１同士は分離壁６２により分けられている。なお、分離壁６２は、図７に示すように一つの包装体を線状に接合することにより形成されてもよいし、複数の別個の包装体同士を接合することにより両者が接する面状として形成されてもよい。
【００３６】
（４）変形例における吸収性物品
図８に示すように、本実施形態の変形例における吸収性物品１が備える吸収体３０には幅方向Ｗに沿った複数のスリット３３が形成されている。スリット３３は、長手方向Ｌに形成されてもよいし、幅方向Ｗ及び長手方向Ｌのスリット３３が組み合わされて形成されてもよい。なお、図８における吸収性物品１の符号のうち上述した実施形態と同様の構成については同符号を用いて説明を省略する。変形例における吸収性物品１によれば、吸収性物品１の形状を着用者の体の形状に追従させ、吸収性物品１の装着感を向上できる。
【００３７】
（５）作用・効果
粒状層６０は、平面視において中高部３１の少なくとも一部に重なり、吸収体３０より非肌当接面側に設けられる。中高部３１は、着用状態において着用者の体に接しやすく、着用者の体からの圧力を受けやすい部分である。これにより、吸収性物品１に対する圧力の変化に応じて粒状体が移動しやすく、体の形状に沿うように吸収体３０の形状を変化させる。
【００３８】
具体的には、例えば着用状態において中高部３１は、中高部３１の外縁（圧搾部３２）の外側の部分に比べて着用者の体に接しやすいため、着用者の体からの圧力が高くなる。そのため、平面視において圧力のより高い中高部３１に重なる粒状層６０の粒状体が、圧力のより低い中高部３１の外側の部分の方に移動する。その結果、圧力のより低い部分の吸収体３０が、移動した粒状体により厚さ方向に押し上げられる。これにより、着用者の体の形状に沿うように吸収体３０の形状が変化する。
【００３９】
また、例えば、着用状態では、吸収性物品１において着用者の脚に挟まれる部分に対する圧力が高くなり、中高部３１においても圧力の高い部分と低い部分とが生じる。そのため、平面視において中高部３１において圧力の高い部分に重なる粒状層６０の粒状体が、中高部３１において圧力の低い部分の方に移動する。その結果、中高部３１において圧力の低い部分（例えば、着用者の排泄口に当接する部分）の吸収体３０が、移動した粒状体により厚さ方向Ｔに押し上げられる。これにより、着用者の体の形状に沿うように吸収体３０の形状が変化する。
【００４０】
このように本発明の吸収性物品１によれば、圧力の変化に応じて多数の粒状体が移動し、吸収体３０を押し上げたり、押し下げたりすることで、吸収性物品１の形状を着用者の体の凹凸形状に追従させ、吸収性物品１の装着感を向上できる。
【００４１】
また、粒状層６０が吸収体３０より非肌当接面側に設けられることにより、粒状層６０が吸収体３０より肌当接面側に設けられる場合に比べ、吸収体３０が先に体液を吸収するため、吸収性物品１の吸収能力を低下させることがない。
【００４２】
また、下着に貼り付けて使用される生理用ナプキン等の吸収性物品１は、下着とともに着用者の体の方向に引き上げられ、使用される。ここで、粒状層６０が吸収体３０より非肌当接面側、すなわち下着のより近くに設けられることにより、下着から体の方に押し上げる圧力を受けやすくなる。これにより下着から押し上げられる圧力及び体からの圧力の変化に応じて、吸収体３０の形状を変化させ、より体の形状に合わせて粒状体を移動しやすくできる。
【００４３】
粒状層６０は、平面視において中高部３１の外縁（圧搾部３２）を跨がるように設けられる。中高部３１と中高部３１の外縁の外側とでは、着用状態における圧力の変化の程度が大きく異なり、中高部３１の外縁及び外縁付近では吸収性物品１の形状の変化も大きい。これにより、吸収性物品１の形状の変化が大きい部分における吸収性物品１の形状を着用者の体に形状に追従させやすくすることができる。
【００４４】
粒状層６０は、平面視において分離壁６２により分けられた複数の粒状区分６１から構成される。例えば、粒状層６０が分離壁により分けられてない場合（粒状体が一つの包装体に包まれている場合）、ある一方向に粒状体が偏ってしまう。この場合、吸収性物品１の部分によっては着用時において圧力の変化に応じて移動する粒状体が少ない状態が発生しうる。一方、本実施形態の吸収性物品１のように、粒状層６０を分離壁６２により分けることにより、粒状層６０に含まれる粒状体のある方向への偏りを減らし、着用状態における圧力の変化の大きさが異なる部分に応じて適当な量の粒状体を配置できる。すなわち、粒状区分６１を吸収性物品１の全体、つまり広範囲に渡って配置することで、吸収性物品１の全体において、圧力の変化に応じて吸収体３０の形状を着用者の体の形状に追従させやすくできる。
【００４５】
粒状区分６１は、平面視において中高部３１の外縁を跨ぐように設けられる。上述したように、中高部３１と中高部３１の外縁の外側とでは、着用状態における圧力の変化の程度が大きく異なり、中高部３１の外縁及び外縁付近では吸収性物品１の形状の変化も大きい。これにより、吸収性物品１の形状の変化が大きい部分における吸収性物品１の形状を着用者の体に形状に追従させやすくできる。例えば、平面視において、分離壁６２と、中高部３１の外縁とが平行に重なる場合、圧力の変化が大きい部分において、吸収性物品１の形状を効果的に着用者の体に追従させることができない。
【００４６】
接着領域７０（中央接着領域７１）は、平面視において分離壁６２を跨ぐように設けられる。接着領域７０（中央接着領域７１）には、下着からの圧力が加わる。接着領域が分離壁６２を跨ぐように設けられることで、下着から吸収性物品１に対する圧力の影響を分離壁６２に分けられた粒状区分６１毎に分散することができる。これにより、体から吸収性物品１に対する圧力の変化に応じて、吸収体３０を着用者の体に追従しやすいように変化させることができる。
【００４７】
吸収体３０は、トウからなる繊維集合体を含む。吸収体３０がより嵩高になるトウからなる繊維集合体を含むことにより、着用状態における体と吸収性物品１とが接しやすくなり、より装着感を向上できる。
【００４８】
粒状層６０に含まれる粒状体が、流動性の高い樹脂発泡ビーズ粒であることにより、粒状層６０（包装体）内を移動しやすく、吸収性物品１の形状が体の形状に追従しやすく変形できる。
【００４９】
粒状層６０は、吸収体３０と裏面シート２０との間に設けられ、吸水性を有する繊維を含み、粒状層６０に含まれる吸収性を有する繊維と粒状体とは互いに接合されていないように構成される。これにより、粒状層６０においても体液の吸収が可能となり、吸収性物品１の吸収能力を向上させることができる。
【００５０】
粒状層６０の厚さ方向Ｔの反発力は、中高部３１の反発力より大きくなるように構成されている。これにより、粒状体の移動による吸収体３０の厚さ方向の押し上げ又は押し下げを容易にし、吸収体３０の形状を着用者の体の形状に追従しやすくし、吸収性物品１の装着感を向上できる。
【００５１】
吸収体３０に幅方向Ｗ又は長手方向Ｌに沿った複数のスリット３３を形成することで、粒状層６０を備える吸収性物品１の形状を着用者の体の形状に追従しやすくし、吸収性物品１の装着感を向上できる。
【００５２】
（６）その他の実施形態
本実施形態の吸収性物品は、夜用の生理用ナプキンであるが、下着により体に押し当てて使用される吸収性物品であればよく、他の実施形態として、昼用の生理用ナプキンやパンティライナー、尿取りパッドであってもよい。また、生理用ナプキンは、ヒップフラップを備えていなくてもよい。
【００５３】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００５４】
１        吸収性物品
１０      表面シート
２０      裏面シート
３０      吸収体
３１      中高部
３２      圧搾部
４０      ウイング部
５０      ヒップフラップ部
６０      粒状層
６１      粒状区分
６２      分離壁
７０      接着領域
７１      中央接着領域
７２      側部接着領域
Ｌ        長手方向
Ｗ        幅方向
ＷＣ      幅方向中心
Ｔ        厚さ方向
ＣＲ      中央領域
ＳＲ      側部領域
【図１】
0006352172.tif 000002
【図２】
0006352172.tif 000003
【図３】
0006352172.tif 000004
【図４】
0006352172.tif 000005
【図５】
0006352172.tif 000006
【図６】
0006352172.tif 000007
【図７】
0006352172.tif 000008
【図８】
0006352172.tif 000009